(57)【要約】      （修正有）【課題】偏平直方体状の豆腐などを、効率良く鮮度保持用や緩衝保形用などの水とともに収容して、そのまま流通,販売することができる、購入した顧客が、手が水で濡れたり水が周辺に散乱したりすることなく、豆腐とともに収容した水を排出(水切り)することができる、豆腐の水切りと取出しとが容易な豆腐容器を提供する。【解決手段】上面を開放した角を丸めた偏平直方体状などの、成型プラスチック製の容器本体２０の上周部のフランジ２１に、隅部などに開蓋タブ３１を有する長方形状などの、剥離可能なプラスチックフィルム製の蓋材３０を、熱融着するなどして閉蓋する豆腐容器において、容器本体２０の一方の側面に、内面が凸状の水切り凸部２２を設けて、この凸状の水切り凸部２２に対応する蓋材３０の隅部などに、Ｖ字切込みａを有する水切りタブ３２を設けた豆腐容器である。【選択図】図１
2007269368.tif 000002
【特許請求の範囲】
【請求項１】
上面を開放した角を丸めた偏平直方体状などの、成型プラスチック製の容器本体２０の上周部のフランジ２１に、隅部などに開蓋タブ３１を有する長方形状などの、剥離可能なプラスチックフィルム製の蓋材３０を、熱融着するなどして閉蓋する豆腐容器において、容器本体２０の一方の側面に、内面が凸状の水切り凸部２２を設けて、この凸状の水切り凸部２２に対応する蓋材３０の隅部などに、Ｖ字切込みａを有する水切りタブ３２を設けたことを特徴とする豆腐容器。
【請求項２】
上面を開放した角を丸めた偏平直方体状などの、成型プラスチック製の容器本体２０の上周部のフランジ２１に、隅部などに開蓋タブ３１を有する長方形状などの、剥離可能なプラスチックフィルム製の蓋材３０を、熱融着するなどして閉蓋する豆腐容器において、蓋材３０の開蓋タブ３１に対応する容器本体２０の一方の側面を、上面が大きく開いた傾斜面ｃに形成して、この一方の側面の傾斜面ｃに、内面が平状又は凹状に反転可能な凸状の水切り凸部２３を設けたことを特徴とする豆腐容器。
【請求項３】
請求項２に記載の豆腐容器において、容器本体２０の反転可能な凸状の水切り凸部２３に対応する蓋材３０の隅部などに、開蓋タブ３１に替えて、Ｖ字切込みａを有する水切りタブ３２を設けたことを特徴とする豆腐容器。
【請求項４】
請求項１又は請求項３に記載の豆腐容器において、容器本体２０の凸状の水切り凸部２２又は反転可能な凸状の水切り凸部２３に対応する、剥離可能なプラスチックフィルム製の蓋材３０の隅部などに設けた、水切りタブ３２のＶ字切込みａの延長上に、リードテープや半切れ線状などの切れ目線ｂを設けたことを特徴とする豆腐容器。
【発明の詳細な説明】
【技術分野】
【０００１】
本発明は、偏平直方体状の豆腐などを、鮮度保持用や緩衝保形用などの水とともに収容する、豆腐４０の水切りと取出しとが容易な豆腐容器に関する。
【背景技術】
【０００２】
従来から、偏平直方体状の豆腐などを、鮮度保持用や緩衝保形用などの水とともに収容する、例えば図５に示すような、上面を開放した角を丸めた偏平直方体状の、成型プラスチック製の容器本体２０の上周部のフランジ２１に、対向する隅部に開蓋タブ３１，３１を有する長方形状の、剥離可能なプラスチックフィルム製の蓋材３０を、機械的に豆腐４０を水とともに収容しながら、効率良く空気を排除した状態で熱融着して閉蓋して、そのまま流通，販売することができる、鮮度保持性や緩衝保形性などが優れた豆腐容器が、一般に広く用いられている。
【０００３】
また従来から、偏平直方体状の豆腐などを、鮮度保持用や緩衝保形用などの水とともに収容する、図６に示すような、上面を開放した角を丸めた偏平直方体状の、成型プラスチック製の容器本体２０の上周部のフランジ２１に、長方形状の剥離可能なプラスチックフィルム製の蓋材３０を、同様に機械的に豆腐４０を水とともに収容しながら、効率良く空気を排除した状態で熱融着して閉蓋して、そのまま流通，販売することができる豆腐容器において、容器本体２０のフランジ２１の４つの隅部に、それぞれ横切り破断線ｆを有する水切り凹溝ｅを形成した豆腐容器（特許文献１）が、開示されて用いられている。
【０００４】
特許文献は、以下のとおりである。
【特許文献１】特開２００１−５５２８６号公報
【発明の開示】
【発明が解決しようとする課題】
【０００５】
ところが従来の、図５に示すような豆腐容器については、効率良く豆腐４０を水とともに収容して、そのまま流通，販売することができる豆腐容器であるものの、購入した顧客が、１つの開蓋タブ３１を指で摘んで、蓋材３０をやゝ強く引き剥がして開蓋して、手で豆腐４０を押えて水切りをして、豆腐容器を転倒させるなどして慎重に豆腐４０を取出す必要があって、手で豆腐４０を押えて水切りをする時などに、手が水で濡れるばかりではなくて、開蓋タブ３１を指で摘んで蓋材３０をやゝ強く引き剥がす時などに、豆腐４０とともに収容した鮮度保持用や緩衝保形用などの水が周辺に散乱して、台所などを汚す（濡らす）ことが問題であった。
【０００６】
また従来の、図６に示すような豆腐容器については、容器本体２０のフランジ２１の適宜の隅部を上方に強く折曲げるだけで、図６Ｂに示すように、簡単に横切り破断線ｆを切断して水切り凹溝ｅを開口して、手が水で濡れたり水が周辺に散乱したりすることなく、豆腐４０とともに収容した水を排出（水切り）することができるものの、容器本体２０の幅狭のフランジ２１の４つの隅部に、それぞれ横切り破断線ｆを有する大きな水切り凹溝ｅを形成することが難しいために、横切り破断線ｆを切断して開口した水切り凹溝ｅが小さくて、水切りに時間が掛かることが問題であった。
【０００７】
加えて従来の、図６に示すような豆腐容器については、同様に効率良く豆腐４０を水とともに収容して、そのまま流通，販売することができる豆腐容器であるものの、容器本体２０のフランジ２１の、特に４つの隅部が外からの衝撃を一番受け易いために、流通，販売する時の取扱いなどによって、この隅部が折曲って横切り破断線ｆが切断して、豆腐４
０とともに収容した鮮度保持用や緩衝保形用などの水が漏れ出す恐れがあった。
【０００８】
そこで、本発明の目的は、偏平直方体状の豆腐などを、効率良く鮮度保持用や緩衝保形用などの水とともに収容して、そのまま流通，販売することができる豆腐容器であって、購入した顧客が、手が水で濡れたり水が周辺に散乱したりすることなく、豆腐４０とともに収容した水を排出（水切り）することができる、豆腐４０の水切りと取出しとが容易な豆腐容器を提供することにある。
【課題を解決するための手段】
【０００９】
本発明の請求項１に記載の豆腐容器は、上面を開放した角を丸めた偏平直方体状などの、成型プラスチック製の容器本体２０の上周部のフランジ２１に、隅部などに開蓋タブ３１を有する長方形状などの、剥離可能なプラスチックフィルム製の蓋材３０を、熱融着するなどして閉蓋する、前述した図５に示すような豆腐容器において、図１，図２に示すように、容器本体２０の一方の側面に、内面が凸状の（図１では３つの，図２では１つの大きな）水切り凸部２２を設けて、この凸状の水切り凸部２２に対応する蓋材３０の隅部など（図１では相対する隅部，図２では一方の隅部）に、Ｖ字切込みａを有する水切りタブ３２を設けたことを特徴とする豆腐容器である。
【００１０】
本発明の豆腐容器においては、効率良く豆腐４０を水とともに収容して、そのまま流通，販売することができる、前述した図５に示すような豆腐容器において、図１，図２に示すように、容器本体２０の一方の側面に、内面が凸状の水切り凸部２２を設けて、この凸状の水切り凸部２２に対応する蓋材３０の隅部などに、Ｖ字切込みａを有する水切りタブ３２を設けたことによって、
購入した顧客が、図１Ａ，図２Ａに示す豆腐容器の、１つの水切りタブ３２を指で摘んで、蓋材３０をＶ字切込みａから延長して切断しながら、図１Ｂ，図２Ｂに示すように、蓋材３０を部分的に楽に引き剥がして開蓋して、凸状の水切り凸部２２で豆腐４０を押えた状態で、図１Ｃに示すように、豆腐容器を凸状の水切り凸部２２の方向に傾けるだけで、手が水で濡れたり水が周辺に散乱したりすることなく、簡単に豆腐４０とともに収容した水を排出（水切り）した後に、前述した図５に示すような豆腐容器と同様に、開蓋タブ３１を指で摘んで、残部の蓋材３０を引き剥がして除去して、豆腐容器を転倒させるなどして慎重に豆腐４０を取出すことができる、特に豆腐４０の水切りが容易な、豆腐４０の水切りと取出しとが容易な豆腐容器を得ることができる。
【００１１】
本発明の請求項２に記載の豆腐容器は、上面を開放した角を丸めた偏平直方体状などの、成型プラスチック製の容器本体２０の上周部のフランジ２１に、隅部などに開蓋タブ３１を有する長方形状などの、剥離可能なプラスチックフィルム製の蓋材３０を、熱融着するなどして閉蓋する、前述した図５に示すような豆腐容器において、図３に示すように、蓋材３０の開蓋タブ３１に対応する容器本体２０の一方の側面を、上面が大きく開いた傾斜面ｃに形成して、この一方の側面の傾斜面ｃに、内面が平状又は凹状（図３では凹状）に反転可能な凸状の水切り凸部２３を設けたことを特徴とする豆腐容器である。
【００１２】
本発明の豆腐容器においては、同様に効率良く豆腐４０を水とともに収容して、そのまま流通，販売することができる、前述した図５に示すような豆腐容器において、図３に示すように、蓋材３０の開蓋タブ３１に対応する容器本体２０の一方の側面を、上面が大きく開いた傾斜面ｃに形成して、この一方の側面の傾斜面ｃに、内面が平状又は凹状に反転可能な凸状の水切り凸部２３を設けたことによって、
購入した顧客が、図３Ａに示す豆腐容器の、開蓋タブ３１を指で摘んで、蓋材３０を途中まで引き剥がして開蓋して、図３Ｂに示すように、反転可能な凸状の水切り凸部２３で豆腐４０を押えた状態で、豆腐容器を反転可能な凸状の水切り凸部２３の方向に傾けるだけで、手が水で濡れたり水が周辺に散乱したりすることなく、簡単に豆腐４０とともに収
容した水を排出（水切り）した後に、図３Ｃに示すように、容器本体２０の一方の側面の傾斜面ｃに設けた反転可能な凸状の水切り凸部２３を、指で押えて平状又は凹状（図３Ｃでは凹状）に反転させた状態で、再び豆腐容器を反転可能な凸状の水切り凸部２３の方向に傾けるだけで、前述した図５に示すような豆腐容器とは異なって、開蓋タブ３１を指で摘んで、残部の蓋材３０を引き剥がして除去して、豆腐容器を転倒させるなどする必要がなく、容器本体２０の一方の側面の上面が大きく開いた傾斜面ｃを、そのまま“つるり"と滑らせて簡単に豆腐４０を取出すことができる、特に豆腐４０の取出しが容易な、豆腐４０の水切りと取出しとが容易な豆腐容器を得ることができる。
【００１３】
本発明の請求項３に記載の豆腐容器は、前述した請求項２に記載の豆腐容器において、図４に示すように、容器本体２０の反転可能な凸状の水切り凸部２３に対応する蓋材３０の隅部など（図４では相対する隅部）に、開蓋タブ３１に替えて、Ｖ字切込みａを有する水切りタブ３２を設けたことを特徴とする豆腐容器である。
【００１４】
本発明の豆腐容器においては、前述した請求項２に記載の、図３に示す豆腐４０の水切りと取出しとが容易な豆腐容器において、図４に示すように、容器本体２０の反転可能な凸状の水切り凸部２３に対応する蓋材３０の隅部などに、開蓋タブ３１に替えて、Ｖ字切込みａを有する水切りタブ３２を設けたことによって、
購入した顧客が、図４Ａに示す豆腐容器の、１つの水切りタブ３２を指で摘んで、蓋材３０をＶ字切込みａから延長して切断しながら、図４Ｂに示すように、蓋材３０を部分的に楽に引き剥がして開蓋して、反転可能な凸状の水切り凸部２３で豆腐４０を押えた状態で、豆腐容器を反転可能な凸状の水切り凸部２３の方向に傾けるだけで、手が水で濡れたり水が周辺に散乱したりすることなく、簡単に豆腐４０とともに収容した水を排出（水切り）した後に、前述した図３に示す豆腐容器と同様に、容器本体２０の反転可能な凸状の水切り凸部２３を、指で押えて平状又は凹状に反転させた状態で、再び豆腐容器を反転可能な凸状の水切り凸部２３の方向に傾けるだけで、容器本体２０の一方の側面の上面が大きく開いた傾斜面ｃを、そのまま“つるり"と滑らせて簡単に豆腐４０を取出すことができる、豆腐４０の水切りと取出しとが、それぞれ特に容易な豆腐容器を得ることができる。
【００１５】
本発明の請求項４に記載の豆腐容器は、前述した請求項１又は請求項３に記載の豆腐容器において、図２，図４に示すように、容器本体２０の（図２に示す）凸状の水切り凸部２２又は（図４に示す）反転可能な凸状の水切り凸部２３に対応する、剥離可能なプラスチックフィルム製の蓋材３０の隅部など（図２では一方の隅部，図４では相対する隅部）に設けた、水切りタブ３２のＶ字切込みａの（図４ではＶ字切込みａ，ａを結ぶ）延長上に、リードテープや半切れ線状などの切れ目線ｂを設けたことを特徴とする豆腐容器である。
【００１６】
本発明の豆腐容器においては、前述した請求項１又は請求項３に記載の、図１，図２又は図４に示す豆腐４０の水切りと取出しとが容易な豆腐容器において、図２，図４に示すように、容器本体２０の凸状の水切り凸部２２又は反転可能な凸状の水切り凸部２３に対応する、剥離可能なプラスチックフィルム製の蓋材３０の隅部などに設けた、水切りタブ３２のＶ字切込みａの延長上に、リードテープや半切れ線状などの切れ目線ｂを設けたことによって、
剥離可能なプラスチックフィルム製の蓋材３０の、（通常のプラスチックフィルムが持っている）引裂き方向性が弱い場合や引裂き方向が異なる場合などに、購入した顧客が、図２Ａ，図４Ａに示す豆腐容器の、１つの水切りタブ３２を指で摘んで、蓋材３０をＶ字切込みａから延長上の切れ目線ｂに沿って切断しながら、図２Ｂ，図４Ｂに示すように、蓋材３０を部分的に楽に正確に引き剥がして開蓋して、凸状の水切り凸部２２又は反転可能な凸状の水切り凸部２３で豆腐４０を押えた状態で、豆腐容器を凸状の水切り凸部２２
又は反転可能な凸状の水切り凸部２３の方向に傾けるだけで、簡単に豆腐４０とともに収容した水を排出（水切り）することができる、特に豆腐４０の水切りが容易な豆腐容器を得ることができる。
【発明の効果】
【００１７】
以上、本発明の豆腐容器においては、偏平直方体状の豆腐などを、効率良く鮮度保持用や緩衝保形用などの水とともに収容して、そのまま流通，販売することができる豆腐容器であって、購入した顧客が、蓋材３０を部分的に又は途中まで引き剥がして開蓋して、凸状の水切り凸部２２又は反転可能な凸状の水切り凸部２３で豆腐４０を押えた状態で、豆腐容器を傾けるだけで、手が水で濡れたり水が周辺に散乱したりすることなく、簡単に（短時間で）豆腐４０とともに収容した水を排出（水切り）することができる、豆腐４０の水切りと取出しとが容易な豆腐容器を提供することができる。
【００１８】
なかでも、本発明の請求項２，請求項３に記載の豆腐容器においては、前述したように、簡単に豆腐４０とともに収容した水を排出（水切り）した後に、容器本体２０の反転可能な凸状の水切り凸部２３を、指で押えて平状又は凹状に反転させた状態で、再び豆腐容器を傾けるだけで、容器本体２０の一方の側面の上面が大きく開いた傾斜面ｃを、そのまま“つるり"と滑らせて簡単に豆腐４０を取出すことができる、特に豆腐４０の取出しが容易な、豆腐４０の水切りと取出しとが容易な豆腐容器を提供することができる。
【発明を実施するための最良の形態】
【００１９】
本発明の豆腐容器における、上面を開放した角を丸めた偏平直方体状などの、成型プラスチック製の容器本体２０については、ポリプロピレン（ＰＰ）などの、通常の成型性などが優れた２００〜６００μｍ程度のプラスチックシートを用いて、後述する実施例に示すように、通常の真空，圧空成型方法で、短辺側などの一方の側面（の傾斜面ｃ）に、内面が凸状の水切り凸部２２又は反転可能な凸状の水切り凸部２３を設けた、成型プラスチック製の容器本体２０を、特に制約なく作製することができる。
【００２０】
本発明の豆腐容器における、隅部などに開蓋タブ３１を有する長方形状などの、剥離可能なプラスチックフィルム製の蓋材３０については、それぞれ延伸したポリエステル（ＰＥＴ）やポリプロピレン（ＯＰＰ）やナイロン（ＯＰＡ）などの、通常の引張り強度などが優れた３０〜１２０μｍ程度のプラスチックフィルムの内面には、ピール層のポリマーブレンドによる凝集力コントロールによる凝集剥離型のシーラントフィルムが使用できる熱融着した後に剥がすことができる３０〜５０μｍ程度のイージーピール層を積層した、剥離可能なプラスチックフィルム製の巻取り状などの蓋材３０を、後述する実施例１，３，４に示すように、通常の充填，熱融着工程で、前述した成型プラスチック製の容器本体２０の上周部のフランジ２１に熱融着すると同時に、蓋材３０の周辺部を長方形状などに切断するとともに、この蓋材３０の隅部などに、Ｖ字切込みａを有する水切りタブ３２を切断して設けることができる。
【実施例１】
【００２１】
図１Ａは、本発明の実施例１における、豆腐容器の斜視図であって、図１Ｂは、水切りのために、豆腐容器を部分的に開蓋した状態を示す斜視図であって、図１Ｃは、この豆腐容器を傾けて、水切りをする状態を示す断面説明図である。
【００２２】
本発明の実施例１の豆腐容器は、収容部の縦，横，高さが９５×１２０×４５ｍｍの、上面を開放した角を丸めた偏平直方体状の、成型プラスチック製の容器本体２０の上周部のフランジ２１に、短辺側の相対する隅部に開蓋タブ３１，３１を有する、縦，横が１１５×１４０ｍｍの長方形状の、剥離可能なプラスチックフィルム製の蓋材３０を、熱融着して閉蓋する、縦，横，高さが８５×１０５×４５ｍｍの、４００ｇの偏平直方体状の豆
腐４０を、効率良く鮮度保持用や緩衝保形用などの水とともに収容して、そのまま流通，販売することができる、前述した従来と同様の豆腐容器において、容器本体２０の短辺側の一方の側面に、内面が凸状の、収容部に５ｍｍ突出した半円筒状の３つの水切り凸部２２，２２，２２を設けて、この凸状の水切り凸部２２，２２，２２に対応する蓋材３０の相対する隅部に、それぞれ片方の根元にＶ字切込みａを有する、引き剥がし矢印を印刷した水切りタブ３２，３２を設けた、図１Ａに示す豆腐容器である。
【００２３】
本発明の実施例１においては、先ず、通常の成型性などが優れた半透明ポリプロピレン（ＰＰ）の、４００μｍのプラスチックシートを用いて、通常の真空，圧空成型方法で、短辺側の一方の側面に、内面が凸状の、収容部に５ｍｍ突出した半円筒状の３つの水切り凸部２２，２２，２２を設けた、前述した上面を開放した角を丸めた偏平直方体状の、上周部に１０ｍｍ幅のフランジ２１を有する成型プラスチック製の容器本体２０を、従来と同様に制約なく作製した。
【００２４】
次に、表面に美麗な文字，絵柄や水切り方法などを印刷した、通常の引張り強度などが優れたＯＮＹの、１５μｍのプラスチックフィルムの内面に、熱融着した後に剥がすことができるポリマーブレンドによる凝集力をコントロールできるシーラントの、３０μｍのイージーピール層を積層した、剥離可能なプラスチックフィルム製の巻取り状の蓋材３０を、通常の充填，熱融着工程で、前述した４００ｇの偏平直方体状の豆腐４０を水とともに収容しながら、作製した成型プラスチック製の容器本体２０の上周部の１０ｍｍ幅のフランジ２１に熱融着すると同時に、蓋材３０の周辺部を、短辺側の相対する隅部に開蓋タブ３１，３１を有する長方形状に切断するとともに、容器本体２０の凸状の水切り凸部２２，２２，２２に対応する蓋材３０の相対する隅部に、それぞれ前述したＶ字切込みａを有する水切りタブ３２，３２を切断して設けて、本発明の実施例１の、図１Ａに示す豆腐容器を作製した。
【００２５】
本実施例１の豆腐容器においては、購入した顧客が、図１Ａに示す豆腐容器の、どちらかの引き剥がし矢印を印刷した水切りタブ３２を指で摘んで、蓋材３０をＶ字切込みａから延長して切断しながら、図１Ｂに示すように、蓋材３０を部分的に引き剥がして開蓋して、内面が凸状の、収容部に５ｍｍ突出した半円筒状の３つの水切り凸部２２，２２，２２で豆腐４０を押えた状態で、図１Ｃに示すように、豆腐容器を傾けるだけで、手が水で濡れたり水が周辺に散乱したりすることなく、簡単に豆腐４０とともに収容した水を排出（水切り）した後に、前述した従来の豆腐容器と同様に、どちらかの開蓋タブ３１を指で摘んで、残部の蓋材３０を引き剥がして除去して、豆腐容器を転倒させるなどして慎重に豆腐４０を取出すことができる、豆腐４０の水切りと取出しとが容易な豆腐容器を得ることができた。
【実施例２】
【００２６】
図２Ａは、本発明の実施例２における、豆腐容器の斜視図であって、図２Ｂは、水切りのために、豆腐容器を部分的に開蓋した状態を示す斜視図である。
【００２７】
本発明の実施例２の豆腐容器は、短辺側の一方（右方）に、半円筒状の小袋入りの露，薬味などの収容部を連続して設けた、豆腐４０の収容部の縦，横，高さが９５×１３０×４５ｍｍの、上面を開放した角を丸めた偏平半円筒直方体状の、成型プラスチック製の容器本体２０の上周部のフランジ２１に、半円状の頂部に指掛け穴ｄ付の開蓋タブ３１を有する、縦，横が１１５×１８０ｍｍの半円長方形状の、剥離可能なプラスチックフィルム製の蓋材３０を、貼着して閉蓋する、縦，横，高さが８５×１０５×４５ｍｍの、実施例１と同一の４００ｇの偏平直方体状の豆腐４０を、効率良く鮮度保持用や緩衝保形用などの水とともに収容して、そのまま流通，販売することができる、販売効果などが優れた新奇形状の豆腐容器において、容器本体２０の短辺側のもう一方（左方）の側面に、内面が
凸状の、豆腐４０の収容部に１５ｍｍ突出した大きな半円筒状の水切り凸部２２を設けて、この凸状の水切り凸部２２に対応する蓋材３０の一方の隅部に、片方の根元にＶ字切込みａを有する、引き剥がし矢印を印刷した水切りタブ３２を設けて、この水切りタブ３２のＶ字切込みａの延長上に、半切れ線状の切れ目線ｂを設けた、図２Ａに示す豆腐容器である。
【００２８】
本発明の実施例２においては、先ず、通常の成型性などが優れた半透明ポリプロピレン（ＰＰ）の、４５０μｍのプラスチックシートを用いて、通常の真空，圧空成型方法で、短辺側の一方（左方）の側面に、内面が凸状の、豆腐４０の収容部に１５ｍｍ突出した大きな半円筒状の水切り凸部２２を設けて、短辺側のもう一方（右方）に、半円筒状の小袋入りの露，薬味などの収容部を連続して設けた、前述した上面を開放した角を丸めた偏平半円筒直方体状の、上周部に１０ｍｍ幅のフランジ２１を有する成型プラスチック製の容器本体２０を、特に制約なく作製した。
【００２９】
次に、表面に美麗な文字，絵柄や水切り方法などを印刷した、通常の引張り強度などが優れたＰＥＴ（１２μｍ）／ＮＹ（１５μｍ）／イージーピールシーラント（既述の凝集剥離タイプ３０μｍ）のプラスチックフィルムを用いて、通常の打抜型を用いた打抜工程で、蓋材３０の周辺部を、半円状の頂部に指掛け穴ｄ付の開蓋タブ３１を有する半円長方形状に切断するとともに、容器本体２０の凸状の水切り凸部２２に対応する蓋材３０の一方の隅部に、前述したＶ字切込みａを有する水切りタブ３２を切断して設けて、この水切りタブ３２のＶ字切込みａの延長上に、半切れ線状の切れ目線ｂを設けたプラスチックフィルム製の蓋材３０を、特に制約なく作製した。
【００３０】
本実施例２の豆腐容器においては、購入した顧客が、図２Ａに示す豆腐容器の、引き剥がし矢印を印刷した水切りタブ３２を指で摘んで、蓋材３０をＶ字切込みａから延長上の半切れ線状の切れ目線ｂに沿って切断しながら、図２Ｂに示すように、蓋材３０を部分的に正確に引き剥がして開蓋して、内面が凸状の、豆腐４０の収容部に１５ｍｍ突出した大きな半円筒状の水切り凸部２２で豆腐４０を押えた状態で、豆腐容器を傾けるだけで、手が水で濡れたり水が周辺に散乱したりすることなく、簡単に豆腐４０とともに収容した水を排出（水切り）した後に、実施例１の豆腐容器と同様に、半円状の頂部の開蓋タブ３１の指掛け穴ｄに指を掛けて、残部の蓋材３０を引き剥がして除去して、豆腐容器を転倒させるなどして慎重に豆腐４０を取出すことができる、豆腐４０の水切りと取出しとが容易な、販売効果などが優れた新規形状の豆腐容器を得ることができた。
【実施例３】
【００３１】
図３Ａは、本発明の実施例３における、豆腐容器の斜視図であって、図３Ｂは、途中まで開蓋した豆腐容器を傾けて、水切りをする状態を示す断面説明図であって、図３Ｃは、この豆腐容器を再び傾けて、豆腐４０を取出す状態を示す断面説明図である。
【００３２】
本発明の実施例３の豆腐容器は、収容部の縦，横，高さが９５×１１５×４５ｍｍの、上面を開放した角を丸めた偏平直方体状の、成型プラスチック製の容器本体２０の上周部のフランジ２１に、途中まで開蓋する短辺側全体を開蓋タブ３１とした、縦，横が１１５×１９０ｍｍの長方形状の、剥離可能なプラスチックフィルム製の蓋材３０を、熱融着して閉蓋する、縦，横，高さが８５×１０５×４５ｍｍの、実施例１，２と同一の４００ｇの偏平直方体状の豆腐４０を、効率良く鮮度保持用や緩衝保形用などの水とともに収容して、そのまま流通，販売することができる、前述した従来と同様の豆腐容器において、蓋材３０の開蓋タブ３１に対応する容器本体２０の、途中まで開蓋する短辺側の一方の側面を、上面が大きく開いた垂直面からの傾斜角が４０度の傾斜面ｃに形成して、この一方の側面の傾斜面ｃに、縦，横，高さが４０×３５×４０ｍｍの横向き三角筒状の、内面が凹状に反転可能な凸状の水切り凸部２３を設けた、図３Ａに示す豆腐容器である。
【００３３】
本発明の実施例３においては、先ず、通常の成型性などが優れた半透明ポリプロピレン（ＰＰ）の、４００μｍのプラスチックシートを用いて、通常の真空，圧空成型方法で、途中まで開蓋する短辺側の一方の側面を、上面が大きく開いた垂直面からの傾斜角が４０度の傾斜面ｃに形成して、この一方の側面の傾斜面ｃに、前述した内面が凹状に反転可能な凸状の水切り凸部２３を設けた、前述した上面を開放した角を丸めた偏平傾斜直方体状の、上周部に１０ｍｍ幅のフランジ２１を有する成型プラスチック製の容器本体２０を、従来と同様に制約なく作製した。
【００３４】
次に、表面に美麗な文字，絵柄や水切り方法などを印刷した、通常の引張り強度などが優れたＯＮＹの、１５μｍのプラスチックフィルムの内面に、熱融着した後に剥がすことができるポリマーブレンドによる凝集力をコントロールできるシーラントの、３０μｍのイージーピール層を積層した、実施例１と同様の剥離可能なプラスチックフィルム製の巻取り状の蓋材３０を、通常の充填，熱融着工程で、前述した実施例１，２と同一の４００ｇの偏平直方体状の豆腐４０を水とともに収容しながら、作製した成型プラスチック製の容器本体２０の上周部の１０ｍｍ幅のフランジ２１に熱融着すると同時に、蓋材３０の周辺部を、途中まで開蓋する短辺側全体を開蓋タブ３１とした長方形状に切断して、本発明の実施例３の、図３Ａに示す豆腐容器を作製した。
【００３５】
本実施例３の豆腐容器においては、購入した顧客が、図３Ａに示す豆腐容器の、短辺側全体の開蓋タブ３１を指で摘んで、蓋材３０を途中まで引き剥がして開蓋して、図３Ｂに示すように、反転可能な凸状の水切り凸部２３で豆腐４０を押えた状態で、豆腐容器を傾けるだけで、手が水で濡れたり水が周辺に散乱したりすることなく、簡単に豆腐４０とともに収容した水を排出（水切り）した後に、図３Ｃに示すように、容器本体２０の一方の側面の、上面が大きく開いた垂直面からの傾斜角が４０度の傾斜面ｃに設けた、前述した内面が凹状に反転可能な凸状の水切り凸部２３を、指で押えて凹状に反転させた状態で、再び豆腐容器を傾けるだけで、この傾斜角が４０度の傾斜面ｃを、そのまま“つるり"と滑らせて簡単に豆腐４０を取出すことができる、特に豆腐４０の取出しが容易な、豆腐４０の水切りと取出しとが容易な豆腐容器を得ることができた。
【実施例４】
【００３６】
図４Ａは、本発明の実施例４における、豆腐容器の斜視図であって、図４Ｂは、水切りのために、豆腐容器を部分的に開蓋した状態を示す斜視図である。
【００３７】
本発明の実施例４の豆腐容器は、収容部の縦，横，高さが９５×１１５×４５ｍｍの、上面を開放した角を丸めた偏平直方体状の、成型プラスチック製の容器本体２０の上周部のフランジ２１に、縦，横が１１５×１８０ｍｍの開蓋タブ３１を有しない長方形状の、剥離可能なプラスチックフィルム製の蓋材３０を、熱融着して閉蓋する、縦，横，高さが８５×１０５×４５ｍｍの、実施例１，２，３と同一の４００ｇの偏平直方体状の豆腐４０を、効率良く鮮度保持用や緩衝保形用などの水とともに収容して、そのまま流通，販売することができる、前述した従来と同様の豆腐容器において、実施例３と同様に、部分的に開蓋する短辺側の一方の側面を、上面が大きく開いた垂直面からの傾斜角が４０度の傾斜面ｃに形成して、この一方の側面の傾斜面ｃに、縦，横，高さが４０×３５×４０ｍｍの横向き三角筒状の、内面が凹状に反転可能な凸状の水切り凸部２３を設けて、実施例３に加えて、この反転可能な凸状の水切り凸部２３に対応する蓋材３０の相対する隅部に、それぞれ片方の根元にＶ字切込みａを有する、引き剥がし矢印を印刷した幅広の水切りタブ３２，３２を設けて、それぞれの幅広の水切りタブ３２のＶ字切込みａの延長上に、Ｖ字切込みａ，ａを結ぶ半切れ線状の切れ目線ｂを設けた、図４Ａに示す豆腐容器である。
【００３８】
本発明の実施例４においては、先ず、通常の成型性などが優れた半透明ポリプロピレン
（ＰＰ）の、４００μｍのプラスチックシートを用いて、通常の真空，圧空成型方法で、部分的に開蓋する短辺側の一方の側面を、上面が大きく開いた垂直面からの傾斜角が４０度の傾斜面ｃに形成して、この一方の側面の傾斜面ｃに、前述した内面が凹状に反転可能な凸状の水切り凸部２３を設けた、実施例３と同様の成型プラスチック製の容器本体２０を、従来と同様に制約なく作製した。
【００３９】
次に、表面に美麗な文字，絵柄や水切り方法などを印刷した、通常の引張り強度などが優れたＯＮＹの、１５μｍのプラスチックフィルムの内面に、熱融着した後に剥がすことができるポリマーブレンドによる凝集力をコントロールできるシーラントの、３０μｍのイージーピール層を積層した、実施例１，３と同様の剥離可能なプラスチックフィルム製の巻取り状の蓋材３０を、通常の充填，熱融着工程で、前述した実施例１，２，３と同一の４００ｇの偏平直方体状の豆腐４０を水とともに収容しながら、作製した成型プラスチック製の容器本体２０の上周部のフランジ２１に熱融着すると同時に、蓋材３０の周辺部を、開蓋タブ３１を有しない長方形状に切断するとともに、容器本体２０の反転可能な凸状の水切り凸部２３に対応する蓋材３０の相対する隅部に、それぞれ前述したＶ字切込みａを有する幅広の水切りタブ３２，３２を切断して設けた後に、通常の炭酸ガスレーザー装置で、それぞれの幅広の水切りタブ３２のＶ字切込みａの延長上に、Ｖ字切込みａ，ａを結ぶ半切れ線状の切れ目線ｂを設けて、本発明の実施例４の、図４Ａに示す豆腐容器を作製した。
【００４０】
本実施例４の豆腐容器においては、購入した顧客が、図４Ａに示す豆腐容器の、どちらかの引き剥がし矢印を印刷した幅広の水切りタブ３２を指で摘んで、蓋材３０をＶ字切込みａの延長上のＶ字切込みａ，ａを結ぶ半切れ線状の切れ目線ｂに沿って切断しながら、図４Ｂに示すように、蓋材３０を部分的に更に正確に引き剥がして開蓋して、反転可能な凸状の水切り凸部２３で豆腐４０を押えた状態で、豆腐容器を傾けるだけで、手が水で濡れたり水が周辺に散乱したりすることなく、簡単に豆腐４０とともに収容した水を排出（水切り）した後に、図３Ｃに示す実施例３と同様に、容器本体２０の一方の側面の、上面が大きく開いた垂直面からの傾斜角が４０度の傾斜面ｃに設けた、前述した内面が凹状に反転可能な凸状の水切り凸部２３を、指で押えて凹状に反転させた状態で、再び豆腐容器を傾けるだけで、この傾斜角が４０度の傾斜面ｃを、そのまま“つるり"と滑らせて簡単に豆腐４０を取出すことができる、特に豆腐４０の取出しが容易な、豆腐４０の水切りと取出しとが容易な豆腐容器を得ることができた。
【産業上の利用可能性】
【００４１】
本発明の、偏平直方体状の豆腐などを、効率良く鮮度保持用や緩衝保形用などの水とともに収容して、そのまま流通，販売することができる、豆腐４０の水切りと取出しとが容易な豆腐容器については、実施例に示す偏平直方体状の豆腐４０以外に、調味用や保存用などの液体を分離，排出して賞味する、偏平な楕円形や三角形や六角形などの各種立体状の水羊羹や寒天類や蒟蒻などの、水切りと取出しとが容易な食品容器として、そのまま幅広く利用することができる。
【図面の簡単な説明】
【００４２】
【図１】本発明の実施例１における、図１Ａは、豆腐容器の斜視図であって、図１Ｂは、水切りのために、豆腐容器を部分的に開蓋した状態を示す斜視図であって、図１Ｃは、この豆腐容器を傾けて、水切りをする状態を示す断面説明図である。
【図２】本発明の実施例２における、図２Ａは、豆腐容器の斜視図であって、図２Ｂは、水切りのために、豆腐容器を部分的に開蓋した状態を示す斜視図である。
【図３】本発明の実施例３における、図３Ａは、豆腐容器の斜視図であって、図３Ｂは、途中まで開蓋した豆腐容器を傾けて、水切りをする状態を示す断面説明図であって、図３Ｃは、この豆腐容器を再び傾けて、豆腐４０を取出す状態を示す断面説明図である。
【図４】本発明の実施例４における、図４Ａは、豆腐容器の斜視図であって、図４Ｂは、水切りのために、豆腐容器を部分的に開蓋した状態を示す斜視図である。
【図５】従来の豆腐容器の斜視図である。
【図６】図５Ａは、従来の豆腐容器の斜視図であって、図５Ｂは、従来の豆腐容器を傾けて、水切りをする状態を示す断面説明図である。
【符号の説明】
【００４３】
２０  …容器本体
２１  …フランジ
２２  …凸状の水切り凸部
２３  …反転可能な凸状の水切り凸部
３０  …蓋材
３１  …開蓋タブ
３２  …水切りタブ
４０  …豆腐
ａ    …Ｖ字切込み
ｂ    …切れ目線
ｃ    …傾斜面
ｄ    …指掛け穴
ｅ    …水切り凹溝
ｆ    …横切り破断線
【図１】
2007269368.tif 000003
【図２】
2007269368.tif 000004
【図３】
2007269368.tif 000005
【図４】
2007269368.tif 000006
【図５】
2007269368.tif 000007
【図６】
2007269368.tif 000008